(57)【要約】【課題】本発明は、電気分解によって発生した水素を選択的に回収することができる新規な水素の製造方法を提供することを目的とする。【解決手段】  水溶液Ｗに陰極３Ｎと陽極３Ｐを接触させ、両電極間に電圧をかけることによって前記水溶液Ｗ中の水分子を電気分解し、もって水素を得る水素の製造方法であって、前記陽極３Ｐとして炭素電極を用い、前記水溶液Ｗとしてアミン水溶液を用いる。【選択図】図１
2020070486.tif 000002
【特許請求の範囲】
【請求項１】
水溶液に陰極と陽極を接触させ、両電極間に電圧をかけることによって前記水溶液中の水分子を電気分解し、もって水素を得る水素の製造方法であって、
前記陽極として炭素電極を用い、
前記水溶液として、アミン水溶液を用いることを特徴とする電気分解方法。
【請求項２】
請求項１に記載の電気分解方法において、
前記水溶液として、アミン含有量５重量％以上のアミン水溶液を用いる電気分解方法。
【請求項３】
請求項１又は２に記載の電気分解方法において、
前記水溶液として、アルカノールアミンを溶解させたアミン水溶液を用いる電気分解方法。
【発明の詳細な説明】
【技術分野】
【０００１】
本発明は、電気分解による水素の製造方法に関する。
【背景技術】
【０００２】
近年、燃料電池技術などの展開によって水素の需要が急激に高まってきている。現在、工業的な水素の製造は、主に炭化水素を水蒸気改質したり部分酸化したりする炭化水素ガス分解法によって行われている。
【０００３】
最近では、風力発電や太陽光発電などの自然エネルギーによって発生させた電力によって水を電気分解し、もって水素を製造する手段も提案されている（例えば、下記特許文献１参照。）。
【先行技術文献】
【特許文献】
【０００４】
【特許文献１】特開２０１４‐２０３２７４号公報
【発明の概要】
【発明が解決しようとする課題】
【０００５】
しかしながら、水の電気分解では、水素の発生と同時に酸素が発生するため、水素を高濃度で選択的に回収するためには陽極側の空間と陰極側の空間とを区画した特殊な形状の電解槽が必要となる。
【０００６】
本発明は、前記技術的課題を解決するために開発されたものであって、電気分解によって発生した水素を選択的に回収することができる新規な水素の製造方法を提供することを目的とする。
【課題を解決するための手段】
【０００７】
前記技術的課題を解決するための本発明の水素の製造方法は、水溶液に陰極と陽極を接触させ、両電極間に電圧をかけることによって前記水溶液中の水分子を電気分解し、もって水素を得る水素の製造方法であって、前記陽極として炭素電極を用い、前記水溶液として、アミン水溶液を用いることを特徴とする（以下、「本発明製造方法」と称する。）。
【０００８】
前記本発明製造方法においては、前記水溶液として、アミン含有量５重量％以上のアミン水溶液を用いることが好ましい態様となる。
【０００９】
前記本発明製造方法においては、前記水溶液として、アルカノールアミンが溶解されたアミン水溶液を用いることが好ましい態様となる。
【発明の効果】
【００１０】
前記本発明製造方法によれば、電気分解によって発生した水素を選択的に回収することができる。
【図面の簡単な説明】
【００１１】
【図１】図１は、本発明製造方法を実行するための装置の概略を示す斜視図（ａ）と、一部断面状態で示す側面図（ｂ）である。
【発明を実施するための形態】
【００１２】
以下、本発明の実施形態を説明するが、本発明はこの実施形態に限定されるものではない。
【００１３】
＜実施形態＞
図１に、本発明製造方法を実行するための装置１を示す。本発明製造方法では、電解槽２に貯められた水溶液Ｗに、一対の電極３を接触させ、電極３間に電圧をかけることによって水溶液Ｗ中の水分子を電気分解する。
【００１４】
‐電解槽２‐
前記電解槽２は、水溶液Ｗを貯めるための水槽である。本実施形態において前記電解槽２は、最大貯水容量１０００リットルの槽本体２１と、蓋体２２とからなり、前記蓋体２２にて前記槽本体２１の開口部を塞ぐことにより、前記槽本体２１及び前記蓋体２２によって囲まれた空間が外気と隔離される仕組みとなされている。なお、前記電解槽２には、前記蓋体２２を通じて前記電解槽２内に至る気体輸送管２３が取り付けられている。又、前記気体輸送管２３には、管路を通過する気体中の酸素濃度及び水素濃度を計測するための酸素濃度計（ＴＯＫＩＣＯ  Ｏ２モニター  ＯＸＹ‐Ｍ）２４と、水素濃度計（新コスモス電機  ＸＰ３１４０）２５とが設けられている。更に、前記気体輸送管２３の下流には、流量計（ＨＯＲＩＢＡ  ＳＴＥＣ）２６が設けられている。
【００１５】
‐電極３‐
前記電極３は、陽極３Ｐと陰極３Ｎとを具備する。本発明製造方法では、前記陽極３Ｐにつき、炭素電極を用いる。一方、前記陰極３Ｎとしては、導電性がある素材からなる各種電極材料（例えば、白金電極、炭素電極、ステンレス電極、鉄電極、銅電極）から選択されたものが用いられる。本実施形態においては、前記陰極３Ｎとしてステンレス電極を用いた。なお、各電極３は図示しない整流器に接続されており、前記整流器の操作によって、両電極３間に任意の電圧がかけられる仕組みとなされている。
【００１６】
‐水溶液Ｗ‐
本発明製造方法では、前記水溶液Ｗとして、アミン水溶液を用いる。ここで「アミン水溶液」とは、アンモニア、又は、アンモニアの水素基が各種官能基に置換されたアミン系化合物を溶質とする水溶液を意味する。なお、前記水溶液Ｗには、水酸化ナトリウムや水酸化カリウム等の無機電解質やシュウ酸等の有機電解質を加えても良い。
【００１７】
前記構成を有する前記装置１を用いて、前記電解槽２に貯められた前記水溶液Ｗを電気分解することによって本発明製造方法を実行すると、陰極３Ｎ側において水素イオン（Ｈ＋）が電子を受け取り、水素（Ｈ２）が発生する。発生した水素は、前記気体輸送管２３を通じて回収される。
【００１８】
一方、陽極３Ｐ側では、水酸化物イオン（ＯＨ−）が前記陽極３Ｐに電子を供与し、酸素（Ｏ２）と水（Ｈ２Ｏ）が発生する筈である。しかしながら、本発明製造方法においては、前記陽極３Ｐとして炭素電極を用いているため、発生した酸素が炭素電極由来の炭素（Ｃ）と速やかに結びつき二酸化炭素（ＣＯ２）となって前記水溶液Ｗ中に溶解する。更に、水溶液Ｗ中に溶解した二酸化炭素は、前記水溶液Ｗに含まれるアミンと結合し、前記水溶液Ｗ中で固定されていると考えられる。このメカニズムは、例えば、ＲＮＨ２の化学式（Ｒ：アルキル基又はアルカノール基）を有するアミンを溶質とする水溶液Ｗ中で生じた二酸化炭素は、まず、アミンと結合形成反応（ＲＮＨ２＋ＣＯ２→ＲＮＨ２ＣＯ２）を起こし、続くプロトン脱離反応（ＲＮＨ２ＣＯ２＋Ｈ２Ｏ→ＲＮＨＣＯ２−＋Ｈ３Ｏ＋）によって、前記水溶液Ｗ中に固定されていると予想される。
【００１９】
これより、本発明製造方法によれば、電気分解によって発生した水素を選択的に回収することができる。
【００２０】
［実施例１〜６］
下記表１に実施例１〜６において用いた水溶液（アミン水溶液）Ｗの組成を示す。
【００２１】
【表１】
2020070486.tif 000003
【００２２】
又、実施例１〜６では、図１に記載の電解槽１を用い、下記の条件にて本発明製造方法を実行した。
【００２３】
‐条件‐
陽極３Ｐ：炭素電極
陰極３Ｎ：ステンレス電極
電極間距離：６００ｍｍ
印加電圧：１２Ｖ（１０００Ａ）
【００２４】
［比較例１］
比較例１では、アミン水溶液に替えて、下記表２に示す組成の水溶液を用いた以外は、各実施形態と同様の条件で電気分解を行った。
【００２５】
【表２】
2020070486.tif 000004
【００２６】
［比較例２］
比較例２では、実施例２で用いた水溶液（アミン水溶液）Ｗを使用した。但し、比較例２では、陽極３Ｐをステンレス電極に替えて電気分解を行った。
【００２７】
前記実施例１〜６及び比較例１、２につき、２４時間の電気分解を行った結果を下記表３に示す。なお、水素濃度及び酸素濃度は、電気分解の実施中に気体輸送管２３を通過する気体を酸素濃度計２４と、水素濃度計２５とで測定した値である。
【００２８】
【表３】
2020070486.tif 000005
【００２９】
表３に示す結果から解るように、水溶液Ｗとしてアミン水溶液を用い、且つ、陽極３Ｐに炭素電極を用いた実施例１〜６では、試験開始後３０分〜１時間経過後には、気体輸送管２３を通過する気体に酸素の存在が殆ど無くなり、その結果、高濃度の水素が選択的に回収し得ることが確認された。なお、試験開始後に検知される酸素は、大気中にもともと含まれていた酸素が検知されたものである。
【００３０】
又、更に、試験を継続したところ、水溶液Ｗとして用いたアミン水溶液中のアミンの含有量に応じて、電気分解により発生した酸素（二酸化炭素）の水溶液Ｗ中への固定量が決定されることが確認された。
【００３１】
一方、水溶液Ｗとしてアミン水溶液を用いなかった比較例１、及び、陽極３Ｐに炭素電極を用いなかった比較例２では、試験開始から終わりまで気体輸送管２３を通過する気体に酸素が含まれていた。
【００３２】
ところで、前記各実施例においては、アミン水溶液の溶質としてアンモニア又はアルカノールアミンを用いているが、本発明製造方法において、水溶液Ｗの溶質として用いられるアミンは、特に限定されるものではない。前記アミンとしては、アンモニアやアンモニアの水素基がアルカノール基によって置換されたアルカノールアミン（モノアルカノールアミン、ジアルカノールアミン、トリアルカノールアミン）の他、例えば、アンモニアの水素基がアルキル基によって置換されたアルキルアミン（モノアルキルアミン、ジアルキルアミン、トリアルキルアミン）などを用いても、同様の結果が得られることが確認されている。但し、本発明製造方法においては、水に対する溶解性が良好で、アンモニアと比較して刺激臭の少ないアルカノールアミンを水溶液Ｗの溶質として用いることが好ましい。
【００３３】
又、本発明製造方法では、水溶液Ｗにおけるアミンの含有量についても特に限定されない。アミンの含有量が少なければ、電気分解により発生した酸素（二酸化炭素）の水溶液Ｗ中への固定量が少なくなり、アミンの含有量が多くなれば固定量が多くなることが確認されており、アミンの含有量としては、５重量％以上（より好ましくは１０重量％以上）が好ましい。
【００３４】
なお、本発明は、その精神または主要な特徴から逸脱することなく、他のいろいろな形で実施することができる。そのため、上述の実施例はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【産業上の利用可能性】
【００３５】
本発明は、電気分解にて水素を得る手段として好適に用いることができる。
【符号の説明】
【００３６】
１  装置
２  電解槽
３  電極
３Ｐ  陽極
３Ｎ  陰極
Ｗ  水溶液
【図１】
2020070486.tif 000006